【手続補正書】
【提出日】平成21年11月26日(2009.11.26)
【手続補正１】
【補正対象書類名】特許請求の範囲
【補正対象項目名】全文
【補正方法】変更
【補正の内容】
【特許請求の範囲】
【請求項１】
組成式MmAaBbOoNn:Z（但し、M元素はII価の価数をとるMg、Ca、Sr、Ba、Znから選択される1種以上の元素であり、A元素はIII価のAl又はAlの一部をGaで置換したものであり、B元素はIV価のSi又はSiの一部をGeで置換したものであり、Oは酸素であり、Nは窒素であり、Z元素はEuであり、m = a = b = 1、n=2/3m+a+4/3b-2/3o、o＞0で表記され、
更にホウ素を0.001重量％以上、3.0 重量％以下含有することを特徴とする蛍光体。
【請求項２】
上記蛍光体が粉末状であることを特徴とする請求項１に記載の蛍光体。
【請求項３】
上記蛍光体の平均粒度が20μm以下、0.1μm以上であることを特徴とする請求項２に記載の蛍光体。
【請求項４】
請求項１乃至３のいずれかに記載の蛍光体の製造方法であって、
組成式MmAaBbOoNn:Zと表記される蛍光体の原料に、ホウ素化合物を添加することを特徴とする蛍光体の製造方法。
【請求項５】
請求項４に記載の蛍光体の製造方法であって、
上記蛍光体の原料であるAlN及びSi3N4の平均粒径を0.1μmから10.0μmとすることを特徴とする蛍光体の製造方法。
【請求項６】
上記ホウ素化合物がBN及び／または H3BO3であることを特徴とする請求項４または５に記載の蛍光体の製造方法。
【請求項７】
請求項１乃至３のいずれかに記載の蛍光体と、発光部とを有することを特徴とする光源。
【請求項８】
上記発光部が発する光の波長が250 nm 〜 550 nmであることを特徴とする請求項７に記載の光源。
【請求項９】
上記発光部としてLED（発光ダイオード）を用いることを特徴とする請求項７または８に記載の光源。
【手続補正２】
【補正対象書類名】明細書
【補正対象項目名】００１６
【補正方法】変更
【補正の内容】
【００１６】
本発明者らは、固相反応の進行を促進し均一な反応を実現するため、更に研究をおこない、当該蛍光体中へ、ホウ素を含有させることに想到した。
即ち、上述の課題を解決するための第１の構成は、組成式MmAaBbOoNn:Z（但し、M元素はII価の価数をとるMg、Ca、Sr、Ba、Znから選択される1種以上の元素であり、A元素はIII価のAl又はAlの一部をGaで置換したものであり、B元素はIV価のSi又はSiの一部をGeで置換したものであり、Oは酸素であり、Nは窒素であり、Z元素はEuであり、m = a = b = 1、n=2/3m+a+4/3b-2/3o、o＞0で表記され、
更にホウ素を0.001重量％以上、3.0 重量％以下含有することを特徴とする蛍光体である。
【手続補正３】
【補正対象書類名】明細書
【補正対象項目名】００１７
【補正方法】削除
【補正の内容】
【手続補正４】
【補正対象書類名】明細書
【補正対象項目名】００１８
【補正方法】削除
【補正の内容】
【手続補正５】
【補正対象書類名】明細書
【補正対象項目名】００１９
【補正方法】削除
【補正の内容】
【手続補正６】
【補正対象書類名】明細書
【補正対象項目名】００２０
【補正方法】削除
【補正の内容】
【手続補正７】
【補正対象書類名】明細書
【補正対象項目名】００２１
【補正方法】削除
【補正の内容】
【手続補正８】
【補正対象書類名】明細書
【補正対象項目名】００２２
【補正方法】変更
【補正の内容】
【００２２】
第２の構成は、第１の構成に記載の蛍光体であって、上記蛍光体が粉末状であることを特徴とする蛍光体である。
【手続補正９】
【補正対象書類名】明細書
【補正対象項目名】００２３
【補正方法】変更
【補正の内容】
【００２３】
第３の構成は、第２の構成に記載の蛍光体であって、上記蛍光体の平均粒度が20μm以下、0.1μm以上であることを特徴とする蛍光体である。
【手続補正１０】
【補正対象書類名】明細書
【補正対象項目名】００２４
【補正方法】変更
【補正の内容】
【００２４】
第４の構成は、第１乃至第３のいずれかに記載の蛍光体の製造方法であって、
組成式MmAaBbOoNn:Zと表記される蛍光体の原料に、ホウ素化合物及び／またはフッ素化合物を添加することを特徴とする蛍光体の製造方法である。
【手続補正１１】
【補正対象書類名】明細書
【補正対象項目名】００２５
【補正方法】変更
【補正の内容】
【００２５】
第５の構成は、第４の構成に記載の蛍光体の製造方法であって、上記蛍光体の原料であるAlN及びSi3N4の平均粒径が0.1μmから10.0μmであることを特徴とする蛍光体の製造方法である。
【手続補正１２】
【補正対象書類名】明細書
【補正対象項目名】００２６
【補正方法】変更
【補正の内容】
【００２６】
第６の構成は、上記ホウ素化合物がBN及び／または H3BO3であることを特徴とする第４または第５の構成に記載の蛍光体の製造方法である。
【手続補正１３】
【補正対象書類名】明細書
【補正対象項目名】００２７
【補正方法】削除
【補正の内容】
【手続補正１４】
【補正対象書類名】明細書
【補正対象項目名】００２８
【補正方法】変更
【補正の内容】
【００２８】
第７の構成は、第１乃至第３のいずれかの構成に記載の蛍光体と、発光部とを有することを特徴とする光源である。
【手続補正１５】
【補正対象書類名】明細書
【補正対象項目名】００２９
【補正方法】変更
【補正の内容】
【００２９】
第８の構成は、第７の構成に記載の光源であって、上記発光部が発する光の波長が250 nm 〜 550 nmであることを特徴とする光源である。
【手続補正１６】
【補正対象書類名】明細書
【補正対象項目名】００３０
【補正方法】変更
【補正の内容】
【００３０】
第９の構成は、第７または第８の構成に記載の光源であって、上記発光部としてLEDを用いることを特徴とする光源である。
【手続補正１７】
【補正対象書類名】明細書
【補正対象項目名】００３１
【補正方法】変更
【補正の内容】
【００３１】
第１乃至第３の構成に係る蛍光体によれば、組成式MmAaBbOoNn:Z（但し、M元素はII価の価数をとるMg、Ca、Sr、Ba、Znから選択される1種以上の元素であり、A元素はIII価のAl又はAlの一部をGaで置換したものであり、B元素はIV価のSi又はSiの一部をGeで置換したものであり、Oは酸素であり、Nは窒素であり、Z元素はEuであり、m = a = b = 1、n=2/3m+a+4/3b-2/3o、o＞0で表記されることを特徴とするため、発光のピーク波長が580 nm 〜 680 nmの範囲にあるという優れた発光特性を有し、更には、紫外〜可視光(波長250 nm 〜 550 nm)の広範囲な波長域に、平坦で効率の高い励起帯を持つという励起帯特性を有している。
【手続補正１８】
【補正対象書類名】明細書
【補正対象項目名】００３２
【補正方法】変更
【補正の内容】
【００３２】
また、上記蛍光体が、ホウ素を含有することから、焼成中に生じる液相の生成温度が低下して、固相反応がより均一に進行するので、当該蛍光体の発光強度を向上させることができる。
【手続補正１９】
【補正対象書類名】明細書
【補正対象項目名】００３３
【補正方法】変更
【補正の内容】
【００３３】
更に、ホウ素含有量が0.001重量％以上、3.0 重量％以下である蛍光体であれば、焼成中に生じる液相の生成温度が低下して固相反応がより均一に進行する他、激しい焼結を抑えることもできるため、当該蛍光体の発光効率をより一層向上させることができる。
【手続補正２０】
【補正対象書類名】明細書
【補正対象項目名】００３４
【補正方法】変更
【補正の内容】
【００３４】
第２及び第３の構成に係る蛍光体が粉末状であることから、蛍光体の塗布または充填を容易に実施できる。更に、蛍光体の粉末の平均粒度が20μm以下、0.1μm以上であることから、発光効率を向上させることができる。
【手続補正２１】
【補正対象書類名】明細書
【補正対象項目名】００３５
【補正方法】変更
【補正の内容】
【００３５】
第４乃至第６の構成に係る蛍光体の製造方法によれば、蛍光体の原料以外に添加剤としてホウ素化合物、例えばBN、H3BO3を添加することにより、固相反応の過程で生じる液相の生成温度を低下させることができ、発光効率が向上した蛍光体を製造することができる。
【手続補正２２】
【補正対象書類名】明細書
【補正対象項目名】００３６
【補正方法】削除
【補正の内容】
【手続補正２３】
【補正対象書類名】明細書
【補正対象項目名】００３７
【補正方法】変更
【補正の内容】
【００３７】
第５の構成に係る蛍光体の製造方法によれば、平均粒径が0.1μmから10.0μmのAlN、Si3N4を使用することで、塗布や充填、更には発光強度の向上に適した粒径の蛍光体を製造することができる。
【手続補正２４】
【補正対象書類名】明細書
【補正対象項目名】００３８
【補正方法】変更
【補正の内容】
【００３８】
第７乃至第９の構成に係る光源は、蛍光体が、発光部(第１５の構成ではLED)が発光する所定の広い波長域（250 nm 〜 550 nm）の光に励起帯を有して発光するため、これらの蛍光体と発光部との組み合わせにより、可視光または白色光を発光する発光効率の高い光源を得ることができる。